(57)【特許請求の範囲】
【請求項１】
電磁波シールド機能を有する単一の板状体から成る部材であって、平板状のシールド部と、前記板状体の一方の面上において１又は複数のＥＭＣコアを支持する様に、前記板状体の端部を略前記１又は複数のＥＭＣコアの外形状に湾曲させたＥＭＣコア支持部と、を有するシールド機能を兼ねたＥＭＣコア支持部材を用いたプリント基板のシールド構造であって、
前記プリント基板の一方の面側に第１のシールド板を配置し、前記プリント基板の他方の面側に前記シールド機能を兼ねたＥＭＣコア支持部材を、前記ＥＭＣコアが支持されていない面を前記プリント基板と対向させて配置したこと、を特徴とするプリント基板のシールド構造。
【請求項２】
前記ＥＭＣコア支持部にネジ孔が設けられた、請求項１に記載のプリント基板のシールド構造。
【請求項３】
前記シールド機能を兼ねたＥＭＣコア支持部材は、前記ＥＭＣコア支持部において前記プリント基板を収容する金属製の筐体に固定されるとともに電気的に接続されること、を特徴とする請求項１または２に記載のプリント基板のシールド構造。
【発明の詳細な説明】
【０００１】
【発明の属する技術分野】
本発明は、電子機器においてＥＭＣ（electromagnetic compatibility）の為の部品として用いられるＥＭＣコアを支持する支持部材に関する。
【０００２】
【従来の技術】
ＥＭＣコアは、医療機器、ＯＡ機器等の電子機器において不要輻射の低減及び耐ノイズ性の向上の為のノイズ対策部品として広く用いられている。特に、これらの電子機器と外部装置との間で用いられるケーブルはノイズの伝送経路となり得るため、電子機器内部では、外部に出るケーブルがプリント基板に接続される基端部分において、ＥＭＣコアが用いられる場合が多い。ＥＭＣコアはノイズ対策部品として重要である一方で、電子機器内部において専用の取付け構造を必要とし、また、取付け位置も限定される。
【０００３】
図５（ａ）は、図６に示される電子内視鏡装置用のスコープユニット５０の基端部分に設けられた基端部ユニット９０の内部構造を示す斜視図である。基端部ユニット９０内のプリント基板８９上には、スコープユニット５０の先端部に設けられたＣＣＤへ駆動信号を供給する為のＣＣＤ駆動回路、ＣＣＤからの出力信号に対しＣＣＤプロセス処理を施す信号処理回路等が搭載される。
【０００４】
外部コネクタ８１は、映像信号生成等を行うプロセッサユニットと接続される部分である。プリント基板８９上のコネクタ８６及びコネクタ８７に接続されるケーブル８６ｃ及び８７ｃを介して、プロセッサユニットと基端部ユニット９０内のプリント基板８９が電気的に接続される。また、プロセッサユニット内部の光源から照明光入射部８０に供給される照明光は、ライトガイド７５を介してスコープユニット先端部に導かれるように構成されている。
【０００５】
プリント基板８９上のコネクタ８８に接続されるケーブル８８ｃは、スコープユニット先端部のＣＣＤへ接続される複数の信号線がまとめられたケーブルである。スコープユニットの挿入部５１は、全長数メートル程度である場合があり、この場合信号ケーブル８８ｃも同様の長さとなる。信号ケーブル８８ｃからの電磁波の不要輻射を防止する為、基端部ユニット９０内部において信号ケーブル８８ｃはＥＭＣコア７７及び７８に挿通されている。ＥＭＣコア７７及び７８は、基端部ユニット９０内で位置を固定する必要があり、図５（ｂ）（図５（ａ）のＡＡ’方向の断面図）に示すように、筐体８１の側面に専用のＥＭＣ支持部材７９を用いてネジ止めされる。基端部ユニット９０は、さらに、金属製のシールドカバー８２で覆われ、それによって、プリント基板８９からの不要輻射が外部に漏れるのが防止される。
【０００６】
【発明が解決しようとする課題】
以上のように、ＥＭＣコアは、電子機器内部において専用の取付け部材を必要とすること、及び取付け位置が限定されることから、装置設計の自由度が限定される、小型化の阻害の一因になる等のデメリットがある。
【０００７】
本発明は、このような事情に鑑みてなされた。すなわち、本発明は、装置の小型化、設計自由度の向上を実現可能なＥＭＣコアの取付け部材、及びＥＭＣコア取付け構造を提供することを目的とする。
【０００８】
【課題を解決するための手段】
本発明は、電磁波シールド機能を有する単一の板状体から成るＥＭＣコア支持部材であって、平板状のシールド部と、板状体の一方の面上において１又は複数のＥＭＣコアを支持する様に、板状体の端部を略前記１又は複数のＥＭＣコアの外形状に湾曲させたＥＭＣコア支持部とを有する。
【０００９】
板状体の一方の面上の端部において前記１又は複数のＥＭＣコアが支持されるので、このＥＭＣコア支持部材を、ＥＭＣコアが乗せられていない方の面をプリント基板と対向させるように装置内部に固定することで、ＥＭＣコアをプリント基板からシールドした状態で、ＥＭＣコア支持部材をプリント基板のシールド板として機能させることができる。
【００１０】
ＥＭＣコア支持部にネジ孔を設けることで、このＥＭＣコア支持部材を筐体にネジ止め固定するとともに電気的に筐体と導通させることもできる。
【００１１】
プリント基板の一方の面側に第１のシールド板を配置し、プリント基板の他方の面側に上記のＥＭＣコア支持部材を、ＥＭＣコアが支持されていない面をプリント基板と対向させて配置することによって、上記ＥＭＣコア支持部材を用いたプリント基板のシールド構造が実現される。ＥＭＣコア支持部材上におけるＥＭＣコアの搭載面は、ＥＭＣコア支持部材がプリント基板と対向する面と反対側の面であるので、ＥＭＣコアに挿通させた信号ケーブルに、プリント基板からの放射ノイズが伝わることが防止される。
【００１２】
この場合、ＥＭＣコア支持部材は、ＥＭＣコア支持部において、プリント基板を収容する金属製の筐体に固定されるとともに電気的に接続される構造であることが望ましい。
【００１３】
【発明の実施の形態】
図１は、図６に示した電子内視鏡装置用のスコープユニットの基端部ユニットの構成部品として、本発明の第１の実施形態のＥＭＣコア支持板７を用いた場合の、基端部ユニット１０の構成を表す図である。図１（ａ）は、基端部ユニット１０の内部構造の斜視図を示し、図１（ｂ）は、図１（ａ）のＡＡ’方向における断面図を示す。
【００１４】
図１（ａ）においてプリント基板２は、図５に示した従来の基端部ユニット９０のプリント基板８９と同様に、スコープユニットの先端部に設けられたＣＣＤを駆動する駆動回路及び信号処理回路が搭載される基板であり、プリント基板２は、コネクタ３及び４に接続される信号ケーブル３ｃ及び４ｃを介してプロセッサユニットと電気的に接続される。また、プリント基板２とスコープユニットの先端部のＣＣＤとは、コネクタ５に接続された信号ケーブル５ｃを介して、互いに接続される。
【００１５】
ＥＭＣコア支持部材７は、単一の金属製のシールド板から成り、シールド部７ａはプリント基板２の上面をほぼ全体に渡って覆う面積を持ち、コの字型に湾曲したＥＭＣコア支持部７ｂでＥＭＣコア８及び９を支持する構成をなす。信号ケーブル５ｃは、ＥＭＣコア８及び９に１ターン、或いは複数のターン数で挿通され、それによって、信号ケーブル５ｃからの不要輻射及びノイズ侵入が防止される。
【００１６】
図１（ｂ）に示すように、ＥＭＣコア支持部材７は、ＥＭＣコア支持部７ｂが筐体１の側面部１ａにネジ止め固定される。筐体１の側面部１ａ−１ｄは金属製であり、ＥＭＣコア支持部材７は、筐体１と電気的に導通される。プリント基板２の底面側には、プリント基板２を覆う面積を持つシールド板６が配置される。筐体１の側面部１ａ−１ｄ、ＥＭＣコア支持部材７、及びシールド板６によって、プリント基板２が全体的にシールドされる。なお、ＥＭＣコア８及び９は、ＥＭＣコア支持部材７上において、プリント基板２に対向する面と反対側の面上に配置されているので、ＥＭＣコア８及び９に挿通されるケーブル５ｃに対しプリント基板２からの放射ノイズが伝わらない。
【００１７】
つまり、ＥＭＣコア支持部材７は、ＥＭＣコアを支持する部品として機能と、プリント基板２をシールドする機能とを有すると共に、さらに、ＥＭＣコアをプリント基板からシールドした状態にする機能を兼ね備えている。以上の構成によって、プリント基板２をシールドする為に、図１に示した従来の基端部ユニット９０のように、外側を全体を覆うシールドカバー８２を別途設ける必要がなくなることになる。
【００１８】
なお、ＥＭＣコア支持部材７と筐体１とを接続する為の構成は、図１（ｂ）に示したようなネジ止めによる手段以外にも、ＥＭＣコア支持部材７を筐体１に固定し且つ電気的に接続する他の手段であっても良い。
【００１９】
図２は、図１に示した基端部ユニット１０において、本発明の第２の実施形態としてのＥＭＣコア支持部材１７を用いた場合の構成を表している。図２において基端部ユニットは、符号１０ｂとして示されている。図２（ａ）は、基端部ユニット１０ｂの内部構造の斜視図を示し、図２（ｂ）は、図２（ａ）のＡＡ’方向における断面図を示す。
【００２０】
図２（ｂ）に示されるようにＥＭＣコア支持部材１７は、中央部にコの字型のＥＭＣコア支持部１７ａが固定されており、また、端部には直角に湾曲された接続部１７ｂが形成されている。ＥＭＣコア支持部材１７は、接続部１７ｂに設けられたネジ孔を介して筐体１の側面部１ａに固定され且つ電気的に接続される。ＥＭＣコア支持部材１７の底面１７ｃは、プリント基板２を覆うだけの面積を持つ。
【００２１】
筐体１の側面部分１ａ−１ｄ、ＥＭＣコア支持部材７、及びシールド板６によって、プリント基板２が全体的にシールドされる。また、ＥＭＣコア８及び９は、ＥＭＣコア支持部材７上において、プリント基板２に対向する面と反対側の面上に配置されているので、ＥＭＣコア８及び９に挿通されるケーブル５ｃに対しプリント基板２からの放射ノイズが伝わらない。
【００２２】
なお、図２に示すＥＭＣコア支持部材１７の上面上におけるＥＭＣコア支持部１７ａの位置は、一つの例であって、ＥＭＣコア支持部１７ａの位置をＥＭＣコア支持部材１７の上面上で変更した構成を容易に実現可能であることに留意する必要がある。したがって、ＥＭＣコアを用いた基端部ユニット１０ｂをデザインする場合のデザインの自由度は、従来に比べて増すことになる。
【００２３】
図３は、さらに、ＥＭＣコア支持部材の第３の実施形態を示す図である。図３（ａ）は、第３の実施形態であるＥＭＣコア支持部材２７を、図１の基端部ユニット１０内部に用いた場合の内部構成を示す斜視図である。図３（ａ）において基端部ユニットは符号１０ｃで示されている。図３（ｂ）は、図３（ａ）のＡＡ’方向における断面図である。ＥＭＣコア支持部材２７には、シールド部２７ｃの先端部を折り曲げて傾斜させた傾斜部２７ｄが形成されており、プリント基板２についてのシールド効果の向上が図られている。また、ＥＭＣコア支持部材２７は、ＥＭＣコア支持部２７ａにおいてＥＭＣコア８ａを支持し、接続部２７ｂに設けられたネジ孔を介して、筐体１の側面１ａに固定され且つ電気的に接続される。
【００２４】
図４は、図３のＥＭＣコア支持部２７の展開図である。図４の破線部は、折り曲げ加工される部分であり、破線部を折り曲げ加工する事によって傾斜部２７ｄ、接続部２７ｂが図３に示すように形成される。プリント基板２に対向される面である２７ｃは、プリント基板２を覆うだけの十分な面積を有する。
【００２５】
【発明の効果】
以上説明したように、本発明のＥＭＣコア支持部材は、ＥＭＣコアを支持する機能と、プリント基板をシールドする機能とを併せ持ち、プリント基板をシールドする為にＥＭＣコア支持部材以外にシールド板を別途用いる必要をなくす。したがって、本発明によれば、ＥＭＣコアを用いる装置の小型化を実現し、さらには装置の設計の自由度を向上させることが可能になる。また、プリント基板からシールドした状態でＥＭＣコアを支持するので、プリント基板からの放射ノイズがＥＭＣコアに挿通された信号ケーブルに伝搬する事が防止される。
【図面の簡単な説明】
【図１】本発明の第１の実施形態のＥＭＣコア支持部材を用いた基端部ユニットの構成を表す図である。
【図２】本発明の第２の実施形態のＥＭＣコア支持部材を用いた基端部ユニットの構成を表す図である。
【図３】本発明の第３の実施形態のＥＭＣコア支持部材を用いた基端部ユニットの構成を表す図である。
【図４】図３に示したＥＭＣコア支持部材の展開図である。
【図５】従来のＥＭＣコア支持部材を用いた基端部ユニットの構成を表す図である。
【図６】電子内視鏡装置用のスコープユニットを表す外観図である。
【符号の説明】
１  筐体
２  プリント基板
３，４，５  コネクタ
３ｃ，４ｃ，５ｃ  信号ケーブル
６  シールド板
７  ＥＭＣコア支持部材
７ａ  シールド部
７ｂ  ＥＭＣコア支持部
８，９  ＥＭＣコア
【図１】
0003825658.tif 000002
【図２】
0003825658.tif 000003
【図３】
0003825658.tif 000004
【図４】
0003825658.tif 000005
【図５】
0003825658.tif 000006
【図６】
0003825658.tif 000007